(57)【要約】【課題】省スペース化とより大きいサイズの用紙Ｐの対応を可能にする両面画像形成装置を提供する。【解決手段】片面に画像を転写された用紙を反転するための反転テーブル１１と、その裏面に画像を転写するために片面に画像を転写された用紙を画像形成手段２へ再給紙する再給送路７を有する両面画像形成装置１において、反転テーブル１１が跳ね上げ台３０を有し、該跳ね上げ台３０が中継ローラ２６の上方まで被覆可能な延長ガイド３１を有する。【選択図】          図４
2004240334.tif 000002
【特許請求の範囲】
【請求項１】
片面に画像を転写された用紙を反転するための反転テーブルと、その裏面に画像を転写するために片面に画像を転写された用紙を画像形成手段へ再給紙する再給送路を有する両面画像形成装置において、反転テーブルが跳ね上げ台を有し、該跳ね上げ台が給紙中継ローラの上方まで被覆可能な延長ガイドを有することを特徴とする両面画像形成装置。
【請求項２】
跳ね上げ台は、通常上昇していて、画像形成装置がどこかで紙詰まりを検知した場合、跳ね上げ台が下降し、延長ガイドも連動して回動して垂直状態となり、規制フェンスの機能をすることを特徴とする請求項１に記載の両面画像形成装置。
【請求項３】
紙詰まりが起きた時、給紙部に詰まった紙を取り除く際に、給紙中継ローラ付近に設けられている給紙部ガイド板を開く操作によって、跳ね上げ台の延長ガイドも垂直状態から反対方向に回動して回避することを特徴とする請求項２に記載の両面画像形成装置。
【請求項４】
紙詰まりが起きた時、給紙部に詰まった紙を取り除く作業が終了した際に、給紙部ガイド板を閉じる操作によって、跳ね上げ台の延長ガイドも回動して垂直状態に戻ることを特徴とする請求項３に記載の両面画像形成装置。
【発明の詳細な説明】
【０００１】
【発明の属する技術分野】
この発明は、両面画像形成装置に関する。
【０００２】
【従来の技術】
片面に画像を転写された用紙Ｐを反転するための反転テーブルと、その裏面に画像を転写するために片面に画像を転写された用紙を画像形成手段へ再給紙する再給送路を有する両面画像形成装置は、知られている。図１にはこのような両面画像形成装置（以下従来例１という）の各部が示されており、１は両面画像形成装置、２は画像形成部、３は給紙部、４は定着部を示す。
【０００３】
この従来例１において用紙Ｐの両面に画像形成をするときは、給紙部３に積載された用紙Ｐが給紙され、片面に画像形成部２で画像が転写され、定着部４で画像が定着され、反転部６でスイッチバックして反転され、再給送路７を通って再び給紙され、裏面に画像形成部２で画像が転写され、定着部４で画像が定着され、排紙部８を通って排紙される。
【０００４】
また用紙Ｐの両面に画像を形成せず、片面だけに画像を形成する時は、給紙部３に積載された用紙Ｐが給紙され、片面に画像形成部２で画像が転写され、定着部４で画像が定着されて、排紙部８を通って排紙される。
【０００５】
図２には用紙Ｐの反転部６、及び再給送路７の詳細が示されている。再給送路７は搬送反転、再給紙のために用紙Ｐを搬送する際の搬送経路の主要な手段である。前記のようにして画像を転写、定着された用紙Ｐは、再給送路７によって反転部６に搬送される。この反転部６では、反転搬送ローラ９と、反転搬送爪１０との対が、用紙Ｐを反転テーブル１１へ搬送する。反転テーブル１１の上には用紙Ｐの位置や姿勢を整えるジョガーフェンス対１２が設けられている。そして用紙Ｐはジョガーフェンス対１２に両側をガイドされながら、上方に解除していた逆転従動ローラ１３の降下により、逆転駆動ローラ１４に圧接されて、スイッチバックして両面ターンローラ１５へと搬送される。
【０００６】
両面ターンローラ１５は、用紙Ｐをターンして、再給送路７へ搬送する。再給送路７には、図示を省略した上下ガイド板と、一連の搬送ローラ対１８と１９、２０と２１、２２と２３、２４と２５とが設けられていて、用紙Ｐを中継ローラ２６へと搬送して再給紙する。
【０００７】
ここで用紙Ｐを反転するため、スイッチバツクする反転テーブル１１では、用紙Ｐのサイズより十分に大きなスペースを必要とする。それは十分に大きなスペースがあれば、用紙Ｐに対してストレスをかけることがないから、機構的に簡単になるからである。しかしながら両面画像装置全体の省スペース化のために、十分に大きなスペースをとることは、現実的に不可能であるという問題がある。
【０００８】
そこで前記のような従来例１のもつ問題を解消して、省スペースで大サイズの用紙に容易に対応することができる両面画像形成装置の出現が待望されており、このような待望に応える両面画像形成装置の一例として図３に示すような要部を有する両面画像形成装置（以下従来例２という）が提案されている。以下にこの従来例２について説明する。ところでこの従来例２には、前記の従来例１と同様な構造部分があるので、このような部分は、同一符号を付して説明を省略し、主として他の部分について説明する。
【０００９】
この従来例２の反転テーブル１１の後部には、図３に示すように、跳ね上げ台３０の後端が枢支されていて、搬送方向により長い用紙Ｐを搬送するとともに、反転テーブル１１の後端部近傍に位置する給紙経路、特に中継ローラ２６を用紙Ｐが回避可能となっている。跳ね上げ台３０は矢印で示すように、上下方向に回動可能に設けられていて、跳ね上げソレノイド３９によって上昇、下降させられるが、跳ね上げ台３０の後端までの長さの用紙しか通紙することができない。
【００１０】
また両面画像形成装置１がどこかに紙詰りを検知した場合、反転テーブル１１の用紙Ｐの上流にある一枚以上の用紙Ｐを反転テーブル１１まで搬送し、紙詰りの除去処理と反転テーブル１１に限定して容易にする制御となっている場合には、反転テーブル１１からはみだしたり、ひどい場合には、中継ローラ２６に巻き込まれたりするという問題がある。
【００１１】
【発明が解決しようとする課題】
ところでこのような従来例２も従来例１と同様に複合機化やカラー化等の多機能を保有することが求められて、多くの内蔵部品を必要とし、しかも内蔵部品の小型化と各ユニットの配置間隔を小さくすることとが求められているが、これらの要求のすべてに満足することができるように構成することは困難であるという問題がある。
【００１２】
そこで本発明の目的は、前記のような従来例１，２のもつ問題を解消し、複合機化やカラー化等の多機能を保有することができ、必要とする多くの内蔵部品を有し、しかも内蔵部品の小型化と各ユニットの配置間隔を小さくすることが可能な両面画像形成装置を提供するにある。
【００１３】
【課題を解決するための手段】
本発明は、請求項１に記載の発明は、片面に画像を転写された用紙を反転するための反転テーブルと、その裏面に画像を転写するために片面に画像を転写された用紙を画像形成手段へ再給紙する再給送路を有する両面画像形成装置において、反転テーブルが跳ね上げ台を有し、該跳ね上げ台が給紙中継ローラの上方まで被覆可能な延長ガイドを有することを特徴とするものである。
【００１４】
請求項２に記載の発明は、請求項１に記載の発明において、跳ね上げ台は、通常上昇していて、画像形成装置がどこかで紙詰まり検知した場合、跳ね上げ台が下降し、延長ガイドも連動して回動して垂直状態となり、規制フェンスの機能をすることを特徴とするものである。
【００１５】
請求項３に記載の発明は、請求項２に記載の発明において、紙詰まりが起きた時、給紙部に詰まった紙を取り除く際に、給紙中継ローラ付近に設けられている給紙部ガイド板を開く操作によって、跳ね上げ台の延長ガイドも垂直状態から反対方向に回動して回避することを特徴とするものである。請求項４に記載の発明は、請求項３に記載の発明において、紙詰まりが起きた時、給紙部に詰まった紙を取り除く作業が終了した際に、給紙部ガイド板を閉じる操作によって、跳ね上げ台の延長ガイドも回動して垂直状態に戻ることを特徴とするものである。
【００１６】
【発明の実施の形態】
図４〜８を参照して一実施の形態について説明するが、この実施の形態には、前記の従来例１，２と同様の構造部分があるので、このような部分は、同一の符号を付して説明を省略し、主として他の部分について説明する。
【００１７】
図４に示すように、跳ね上げ台３０の後端部には、延長ガイド３１が設けられていて、搬送方向により長い用紙Ｐをガイドできるようになっている。この実施の形態では、給紙搬送路５にある給紙中継ローラ２６の上方まで、しっかりと覆って中継ローラ２６に接触しないように確実にしている。このような延長ガイド３１を設けたのは、もし中継ローラ２６に用紙Ｐが接触すると巻き込まれ、故障の原因となってしまうので、これを避けるためである。
【００１８】
跳ね上げ台３０は通常上昇していて、両面画像形成装置１がどこかで紙詰まり検知した場合、跳ね上げ台３０が下降し、延長ガイド３１も連動して回動し、図５に示すように垂直状態となり、規制フェンスの機能をする。このため、用紙Ｐを跳ね上げ台３０の降下により紙詰まりスペースを作り、延長ガイド３１が反転テーブル１１上の用紙Ｐを確実に保持する。このように、反転テーブル１１の後端側は給紙経路５の紙詰まり除去のためのスペースとして用いられる。
【００１９】
紙詰まりが起きた時、給紙部３に詰まった用紙Ｐを取り除く際に、中継ローラ２６と同軸的に回動可能に設けられている給紙部ガイド板３２を開く操作によって、跳ね上げ台３０の延長ガイド３１も垂直状態から反対方向に回動して回避する。これは給紙搬送路５の中継ローラ２６の下流部分の紙詰まりを除去するために、給紙部ガイド板３２を開く必要があり、この時図６に示すように、給紙部ガイド板３２の開操作と連動して、延長ガイド３１を待避するので、給紙部ガイド板３２の紙詰まり処理が容易になる。
【００２０】
給紙部３に詰まった用紙Ｐを取り除く作業が終了した際に、給紙部ガイド板３２を閉じる操作によって、跳ね上げ台３０の延長ガイド３１も回動して垂直状態に戻る。
【００２１】
図７は、跳ね上げ台３０は跳ね上げソレノイド３９によって、実線矢印で示すように上昇し、点線矢印で示すように下降する。
【００２２】
図８は、跳ね上げ台３０への延長ガイド３１の装着部を示しており、延長ガイド３１は枢軸４１に捲着した延長ガイドスプリング４０によって一定方向に力がかかるようになっていて、給紙部ガイド板３２の閉操作と連動して、延長ガイド３１が元に戻るので、操作性が向上する。
【００２３】
【発明の効果】
請求項１に記載の発明は、延長ガイドが用紙を支えるので、省スペースで、大きいサイズに対応することができるという効果がある。請求項２に記載の発明は、延長ガイドが紙詰まりの時に、用紙を保持するので、紙詰まり処理性の向上と機械の故障を防止することができるという効果がある。請求項３に記載の発明は、延長ガイドが給紙部ガイド板の開操作で連動して垂直状態から反対方向に回動し回避するので、操作が簡単になるという効果がある。請求項４に記載の発明は、  延長ガイドが給紙部ガイド板の閉操作で連動して回動し垂直状態に戻るので、閉め忘れを防止でき、機械の故障を防止することもできるという効果がある。
【図面の簡単な説明】
【図１】従来例１，２及び本発明の一実施の形態に共通する各部の構成図である。
【図２】同上の搬送経路図である。
【図３】従来例２の主要部の構成図である。
【図４】本発明の一実施の形態の主要部の構成図である。
【図５】同上の一作用態様図である。
【図６】同上のさらに他の作用態様図である。
【図７】同上の跳ね上げソレノイドの作用態様図である。
【図８】同上の延長ガイドの作用態様図である。
【符号の説明】
１  両面画像形成装置        ２  画像形成部
３  給紙部                  ４  定着部
５  給紙搬送路              ６  反転部
７  再給送路                ８  排紙部
９  反転搬送ローラ        １０  反転搬送爪
１１  反転テーブル          １２  ジョガーフェンス対
１３  逆転従動ローラ        １４  逆転駆動ローラ
１５  両面ターンローラ      １８  搬送駆動ローラ１
１９  搬送従動ローラ１      ２０  搬送駆動ローラ２
２１  搬送従動ローラ２      ２２  搬送駆動ローラ３
２３  搬送従動ローラ３      ２４  搬送駆動ローラ４
２５  搬送従動ローラ        ２６  中継ローラ
２７  中継従動ローラ１      ２８  中継従動ローラ２
２９  ターン従動ローラ      ３０  跳ね上げ台
３１  延長ガイド            ３２  給紙部ガイド板
３３  排紙分岐爪            ３４  両面分岐爪
３５  反転中間ローラ        ３６  従動入口ローラ
３７  従動出口ローラ        ３８  支持台
３９  跳ね上げソレノイド    ４０  延長ガイドスプリング
４１  枢軸
【図１】
2004240334.tif 000003
【図２】
2004240334.tif 000004
【図３】
2004240334.tif 000005
【図４】
2004240334.tif 000006
【図５】
2004240334.tif 000007
【図６】
2004240334.tif 000008
【図７】
2004240334.tif 000009
【図８】
2004240334.tif 000010